(57)【要約】【課題】ユーザにとってより操作しやすい画像形成装置を提供する。【解決手段】ユーザからの指示を受け付ける受付画面Ｐを、タッチパネル上でユーザが触れた位置ＴにスタートボタンＢ１が配置され、その周囲に機能設定ボタンＢ２が配置されるように表示する。機能設定ボタンＢ２を介して、画像形成部の動作内容が設定され、スタートボタンＢ１を介して、画像形成実行指示がなされる。【選択図】図６
2010266513.tif 000002
【特許請求の範囲】
【請求項１】
記録媒体上に画像を形成する画像形成部と；
ユーザに画面を表示可能な表示部と；
前記表示部上において、ユーザが触れた位置を検出する検出部と；
前記表示部を制御して、
下記（ａ）及び（ｂ）
（ａ）前記画像形成部の個々の機能に関する選択肢にそれぞれ対応し、ユーザから選択を受け付ける詳細設定ボタン
（ｂ）前記詳細設定ボタンが受け付けた選択について、決定指示を受け付ける決定ボタン
を含む画面であって、
１つの前記機能に関する前記詳細設定ボタンが、前記決定ボタンを囲む同一の層中に配置された受付画面
を表示させる表示制御部と；
前記決定ボタンが押下された時点での前記詳細設定ボタンの受付内容に基づいて、前記画像形成部の動作を制御する画像形成制御部と；
を備える画像形成装置。
【請求項２】
前記表示制御部は、
個々の機能に対応する機能設定ボタンを、前記受付画面中で、前記決定ボタンを囲む層中に表示させると共に、
前記機能設定ボタンが押下されると、前記機能設定ボタンに対応する詳細設定ボタンを、前記機能設定ボタンと同一の層中に表示する
請求項１に記載の画像形成装置。
【請求項３】
前記表示制御部は、
前記受付画面が表示されていないときに前記表示部上でユーザが触れた位置である第１位置に、前記決定ボタンを表示させる
請求項１又は２に記載の画像形成装置。
【請求項４】
前記表示制御部は、
前記第１位置から前記表示部の縁までの距離が所定値未満であるとき、
前記表示部において、前記縁までの距離が前記所定値以上であって、前記第１位置までの距離が最短である第２位置に、前記決定ボタンを配置する
請求項３に記載の画像形成装置。
【請求項５】
前記表示制御部は、
前記第１位置から前記表示部の縁までの距離が所定値未満であるときに、
前記受付画面全体が表示されるように、前記受付画面の形状を変化させる
請求項３に記載の画像形成装置。
【発明の詳細な説明】
【技術分野】
【０００１】
本発明は、紙等の記録媒体上に画像を形成する画像形成装置に関する。
【背景技術】
【０００２】
従来、画像形成装置において、ユーザから指示を受け付けるユーザインターフェースとして、種々の構成が提案されている。
【０００３】
例えば特許文献１のユーザインターフェース装置では、表示画面に開口部が設けられており、そこから操スイッチ装置の操作部位が突出しており、ユーザはこの操作部位を操作することができる。
【先行技術文献】
【特許文献】
【０００４】
【特許文献１】特開２００４−１９２６３４号公報
【発明の概要】
【発明が解決しようとする課題】
【０００５】
特許文献１のユーザインターフェース装置では、操作部位の構造によって、画面上で操作できる範囲が限られる。よって、タッチパネルであるユーザインターフェース装置よりも、操作にかかるユーザの手間が大きくなることがある。
【０００６】
一方で、タッチパネルを用いた場合は、タッチパネル上をユーザが指を移動させて操作することになるが、この場合は、ユーザが指を移動させなければならない範囲が広くなる傾向があり、ユーザの操作負担が大きくなりやすいという問題があった。
【０００７】
また、近年、１つの装置に多くの機能を持たせる多機能化が進んでいるため、機能の詳細を設定する操作画面とスタートキーとが離れて設けられることが多く、操作画面とスタートキーとが、別の画面に表示されることもある。このように、操作画面とスタートキーとが離れて設けられる場合、ユーザは操作画面において処理の実行指示を入力することができない。その結果、ユーザが、スタートキーがあることや、スタートキーのある画面の位置などを前もって知っておかないと、処理の実行指示ができないという問題があった。
【０００８】
さらに、多機能化により、操作画面上に表示する機能等が増えるあまり、表示する機能の全てを理解しようとすると、時間を費やす他、不要な操作を招くおそれがあった。
【０００９】
そこで、本発明は、ユーザの操作負担を低減することのできる画像形成装置を提供することを目的とする。
【課題を解決するための手段】
【００１０】
前記課題は、以下の画像形成装置により解決される。
【００１１】
（１）記録媒体上に画像を形成する画像形成部と；
ユーザに画面を表示可能な表示部と；
前記表示部上において、ユーザが触れた位置を検出する検出部と；前記表示部を制御して、下記（ａ）及び（ｂ）
（ａ）前記画像形成部の個々の機能に関する選択肢にそれぞれ対応し、ユーザから選択を受け付ける詳細設定ボタン
（ｂ）前記詳細設定ボタンが受け付けた選択について、決定指示を受け付ける決定ボタン
を含む画面であって、
１つの前記機能に関する前記詳細設定ボタンが、前記決定ボタンを囲む同一の層中に配置された受付画面
を表示させる表示制御部と；
前記決定ボタンが押下された時点での前記詳細設定ボタンの受付内容に基づいて、前記画像形成部の動作を制御する画像形成制御部と；
を備える画像形成装置。
【００１２】
（２）前記表示制御部は、個々の機能に対応する機能設定ボタンを、前記受付画面中で、前記決定ボタンを囲む層中に表示させると共に、前記機能設定ボタンが押下されると、前記機能設定ボタンに対応する詳細設定ボタンを、前記機能設定ボタンと同一の層中に表示する前記（１）に記載の画像形成装置。
【００１３】
（３）前記表示制御部は、前記受付画面が表示されていないときに前記表示部上でユーザが触れた位置である第１位置に、前記決定ボタンを表示させる前記（１）又は（２）に記載の画像形成装置。
【００１４】
（４）前記表示制御部は、前記第１位置から前記表示部の縁までの距離が所定値未満であるとき、前記表示部において、前記縁までの距離が前記所定値以上であって、前記第１位置までの距離が最短である第２位置に、前記決定ボタンを配置する前記（３）に記載の画像形成装置。
【００１５】
（５）前記表示制御部は、前記第１位置から前記表示部の縁までの距離が所定値未満であるときに、前記受付画面全体が表示されるように、前記受付画面の形状を変化させる前記（３）に記載の画像形成装置。
【発明の効果】
【００１６】
本発明の画像形成装置によれば、決定ボタンの周囲に、詳細設定ボタンが層状に配置されることで、ユーザが指を動かす範囲が小さく抑えられ、ユーザにとっては操作が容易となる。
【００１７】
また、本発明の画像形成装置によれば、決定ボタンと詳細設定ボタンとが、同一の受付画面中に表示される。よって、画像形成装置が多くの機能を有する場合にも、ユーザは、前もって決定ボタンの位置を把握しておく必要がなく、決定の指示を容易に入力することができる。
【００１８】
また、同一の受付画面中に複数の詳細設定ボタンを配置することも可能であるので、ユーザは、実行可能な機能を容易に把握することができる。
【図面の簡単な説明】
【００１９】
【図１】第１実施形態の複合機１の概要を示すブロック図
【図２】複合機１におけるコピー実行時の指示受付の流れを示すフローチャート
【図３】図１のステップＳ２５の詳細を示すフローチャート
【図４】初期画面を示す図面
【図５】タッチパネル４における表示可能領域４２ａ及び表示不可能領域４２ｂを示す平面図
【図６】接触位置Ｔが表示可能領域４２ａ内にあるときの受付画面Ｐを示す図
【図７】接触位置Ｔが表示不可能領域４２ｂ内にあるときのタッチパネル４上の受付画面Ｐを示す図
【図８】図６においてスタートボタンＢ１が長押しされた後の受付画面Ｐを示す図
【図９】図８において「集約」ボタンが押下された後の受付画面Ｐを示す図
【図１０】図９において「４ ｉｎ １」が選択された後の受付画面Ｐを示す図
【図１１】第２実施形態の複合機におけるコピー実行時の指示受付の流れを示すフローチャート
【図１２】第２実施形態における表示判定マスクＭを示す図
【図１３】第２実施形態で、接触位置Ｔがタッチパネル４の外縁付近にあるときの受付画面Ｐを示す図
【発明を実施するための形態】
【００２０】
〔１〕第１実施形態
（1-1）複合機１の概要
第１実施形態の複合機１は、スキャナ、コピー機、ファクシミリ装置、及びプリンタとして機能する装置である。複合機１の概要について説明する。
【００２１】
図１に示すように、複合機１は、画像読取部２、画像形成部３、タッチパネル４、制御装置１０等を備える。複合機１は、さらに、原稿台及び自動原稿搬送装置を備える。また、複合機１は、外部のＰＣ（Personal Computer）から印刷用の画像データを受け取るデータ通信部、及び外部ファクシミリ装置との間でファクシミリのやり取りを行うファクシミリ通信部等を備える（いずれも図示せず）。
【００２２】
画像読取部２は、原稿台上に置かれた原稿又は自動原稿搬送装置により搬送中の原稿上の画像を読み取る。具体的には、画像読取部２は、光源、ミラー、レンズ、イメージセンサ等を備える。画像読取部２が画像を読み取ることで得た画像データは、図示しないメモリに保存される。
【００２３】
画像形成部３は、画像読取部２、上述のデータ通信部（図示せず）、又はファクシミリ通信部（図示せず）が得た画像データに基づいて、用紙（記録媒体の一例）上に画像を印刷（形成）する。
【００２４】
具体的には、画像形成部３は、現像部３１及び用紙搬送部３２を備え、この他に、転写部及び定着部（図示せず）を備える。現像部３１は、例えば、感光体ドラムと、感光体ドラム上に静電潜像を描く描画部と、トナー（現像剤の一例）によってこの静電潜像を現像する現像器とを備える。現像された画像は、用紙搬送部３２の搬送する用紙上に転写され、熱圧着によって用紙上に定着される。用紙搬送部３２は、複数のローラやベルト等を備え、互いに異なるサイズの用紙が収容された複数の用紙カセット（図示せず）から、用紙を引き出して搬送する。
【００２５】
図１に示すように、タッチパネル４は、表示パネル（表示部）４１及びタッチセンサ（検出部）４２を備える。
【００２６】
表示パネル４１としては、液晶表示パネル等の表示装置が好適に用いられる。
【００２７】
タッチセンサ４２は、表示パネル４１上における、ユーザの指やタッチペン等との接触点の位置（以下、「接触位置」と称する）を検出することができれば、その構造は特に限定されるものではない。例えば、タッチセンサ４２としては、アナログ抵抗膜方式、静電容量方式等のタッチセンサが採用されてもよい。
【００２８】
なお、複合機１は、タッチパネル４以外にも、コピー、プリンタ、ファクシミリ、又はスキャナうちのいずれの機能を実行するかの選択を受け付ける主機能選択キー、及びテンキー等といったハードキーを、ユーザからの指示を受け付ける機構として備えていてもよい。
【００２９】
制御装置１０は、ＣＰＵ（Central Processing Unit）、ＲＯＭ（Read Only Memory）、ＲＡＭ（Random Access Memory）等を備え、複合機１内の動作を制御する。
【００３０】
具体的には、図１に示すように、制御装置１０は、表示制御部１１及び画像形成制御部１２を備える。表示制御部１１は、表示パネル４１を制御し、種々の画面（ソフトキーを含む）を表示させる。画像形成制御部１２は、タッチセンサ４２からの信号に基づいて、画像形成制御部３の動作を制御する。
【００３１】
なお、画像形成制御部１２は、タッチセンサ４２以外の受付部、すなわちハードキー、データ通信部、及びファクシミリ装置等が、ユーザや外部装置から受け付けた指示やデータに基づいて、画像形成部３の動作を制御することができる。
【００３２】
また、制御装置１０は、表示パネル４１及び画像形成部３以外にも、画像読取装置２、データ通信部、ファクシミリ通信部等の動作を制御することができる。
【００３３】
制御装置１０のこれらの機能は、ＣＰＵが、ＲＯＭ等の中に格納されたプログラムを読み出して実行することで実現される。
【００３４】
（1-2）コピー受付時の動作
複合機１は、コピーの受付画面が、受付画面のデフォルトとして設定されている。以下では、図２〜図１０を参照して、コピーの実行指示を受け付けるときの複写機１の動作を説明する。
【００３５】
図２に示すように、ユーザがタッチパネル４に触れるまでは、表示制御部１１の制御の下、表示パネル４１に初期画面が表示される（ステップＳ２０）。図４に示すように、初期画面には、「画面に触れて下さい」等、ユーザにタッチパネル４に触れることを促すメッセージが表示される。
【００３６】
タッチセンサ４２がユーザの接触を検知すると、検知信号がタッチセンサ４２から制御装置１０へ送信される（ステップＳ２１でＹｅｓ）。このとき、表示パネル４１上に受付画面Ｐ（図６等）が表示されていなければ（ステップＳ２２でＮｏ）、表示制御部１１は、接触位置Ｔ（図６等）が表示可能領域４２ａ（図５等）に含まれるかどうかを判断する（ステップＳ２３）。
【００３７】
接触位置Ｔが表示可能領域４２ａ内に含まれていれば（ステップＳ２３でＹｅｓ）、表示制御部１１は、スタートボタン（決定ボタン）Ｂ１（図６等）が接触位置Ｔに配置された受付画面Ｐを表示パネル４１に表示させる（ステップＳ２４）。他方、ステップＳ２３が「Ｎｏ」であれば、つまり、接触位置Ｔが表示不可能領域４２ｂ（図５等）に含まれていれば、表示制御部１１は、スタートボタンＢ１が、表示可能領域４２ａにおいて、接触位置Ｔから最も近い位置に配置された受付画面Ｐを、表示パネル４１に表示させる（ステップＳ２９）。
【００３８】
ステップＳ２３、Ｓ２４、及びＳ２９について、詳細に説明する。
【００３９】
図５に示すように、タッチパネル４において、タッチセンサ４２は、表示パネル４１の下に、表示パネル４１と重ねて配置されている。表示パネル４１及びタッチセンサ４２の外縁は長方形であり、長辺が図５の左右方向に平行に、短辺が図５の上下方向に平行になるように、配置されている。
【００４０】
表示制御部１１は、タッチセンサ４２からの検出信号のうち、特定の位置を示す検出信号を、表示可能領域４２ａからの検出信号として認識し、それ以外を表示不可能領域４２ｂからの検出信号として認識する。つまり、タッチパネル４において、これらの領域４２ａと４２ｂとの間に構造上の違いはない。
【００４１】
図５に示すように、本実施形態では、表示可能領域４２ａの外縁は長方形状であって、その外縁の長辺がタッチセンサ４２の外縁の長方形の長辺に平行になるように、かつ、その短辺がタッチセンサ４２の外縁の長方形の短辺に平行になるように、配置されている。表示可能領域４２ａの外縁の短辺は、図５の横方向において、タッチセンサ４２の外縁の短辺との間に距離Ｄ１を置くように配置される。また、表示可能領域４２ａの外縁の長辺は、図５の横方向において、表示可能領域４２ａの外縁の長辺との間に距離Ｄ２を置くように配置される。表示可能領域４２ａ以外の領域、すなわち、表示可能領域４２ａの外縁よりも、タッチセンサ４２の外縁に近い領域が、表示不可能領域４２ｂである。
【００４２】
ユーザの接触位置Ｔ（点線て示す丸印）が表示可能領域４２ａ内（領域の境界上を含む）に位置する場合（ステップＳ２３でＹｅｓ）、表示制御部１１の制御の下、図６に示すように、受付画面Ｐが表示パネル４１に表示される。
【００４３】
受付画面Ｐは、スタートボタンＢ１と、スタートボタンＢ１の周囲を囲むように配置された機能設定ボタンＢ２を含む。受付画面Ｐは、その外縁が楕円形であり、その楕円の中心が接触位置Ｔに位置するように表示される。また、受付画面Ｐは、その楕円の長径がタッチセンサ４２の外縁の長辺に平行になるように、かつ短径がタッチセンサ４２の外縁の短辺に平行になるように、表示される。スタートボタンＢ１は、楕円形状であり、その中心が接触位置Ｔに位置するように表示される（ステップＳ２４）。
【００４４】
他方、ユーザの接触位置Ｔが、表示不可能領域４２ｂ内に位置する場合（ステップＳ２３でＮｏ）、受付画面Ｐは、図７に示す通りに配置される（ステップＳ２９）。すなわち、ステップＳ２９で表示される受付画面Ｐの内容は、ステップＳ２４で表示される受付画面Ｐと同一であって、その表示位置のみが異なる。このように、表示制御部１１が受付画面Ｐの表示位置を制御することで、受付画面Ｐ全体が表示される。つまり、表示不可能領域４２ｂ内がタッチされたときは、その接触位置Ｔの直近の表示可能領域４２ａの外縁を中心として、スタートボタンＢ１及び受付画面Ｐが表示される。
【００４５】
仮に、表示不可能領域４２ｂが設定されず、接触位置Ｔがタッチパネル４上のどこに位置しても、そこを中心として受付画面Ｐが表示されるとする。この場合、接触位置Ｔがタッチセンサ４２の外縁に非常に近いとき、受付画面Ｐの一部が表示パネル４１の外縁よりも外側に位置するので、表示パネル４１は、受付画面Ｐの一部を表示することができない。
【００４６】
これに対して、本実施形態では、表示可能領域４２ａ及び表示不可能領域４２ｂが設定されている。そして、図７に示すように、上述の距離Ｄ１及びＤ２は、受付画面Ｐの中心が表示可能領域４２ａの外縁上に位置するときに、受付画面Ｐの全体が表示されるように設定されている。具体的には、受付画面Ｐの長径をＲ１、短径をＲ２とすると、距離Ｄ１≧（１／２）×Ｒ１、距離Ｄ２≧（１／２）×Ｒ２と設定される。
【００４７】
このように、ユーザの接触位置Ｔからタッチセンサ４２の外縁までの距離が所定値（Ｄ１、Ｄ２）以上であるときは、ユーザの接触位置Ｔ（第１位置）にスタートボタンＢ１が表示され、スタートボタンＢ１の周囲を囲むように、表示パネル４１に、機能設定ボタンＢ２が表示される。そして、ユーザの接触位置Ｔからタッチセンサ４２の外縁までの距離が所定値（Ｄ１、Ｄ２）未満であれば、接触位置Ｔまでの距離が所定値以上であって、接触位置Ｔまでの距離が最短である位置（第２位置）に、スタートボタンＢ１が表示される。
【００４８】
上述の主機能選択キーが、コピー、プリント、スキャン、ファクシミリ等の大まかな機能の選択を受け付けるキーであったのに対して、機能設定ボタンＢ２は、これら大まかな機能における、詳細な機能の設定を受け付けるボタンである。機能設定ボタンＢ２として、図６等には、コピー機能における、部数、倍率、集約等の機能に対応するボタンが描かれている。なお、図中で、機能設定ボタンＢ２において「・・・」と記載されている箇所は、その機能設定ボタンＢ２に対応する機能名が適宜表示されることを意味する。
【００４９】
機能設定ボタンＢ２には、それぞれ、対応する機能の設定値が表示される。受付画面Ｐが、例えば図６に示す状態であれば、「倍率」は「１００％」、「部数」は「１」、「用紙サイズ」は「Ａ４」と設定されている。
【００５０】
図６に示すように、受付画面Ｐにおいて、機能設定ボタンＢ２は、スタートボタンＢ１を囲むドーナツ形状の層構造を構成する。図６の受付画面Ｐは、２つの層（第１層Ｃ１及び第２層Ｃ２）を有し、スタートボタンＢ１に近い側から、第１層Ｃ１及び第２層Ｃ２が配置された２層構成となっている。１つの層には、２以上の機能設定ボタンＢ２が表示可能である。
【００５１】
本実施形態では、表示層数のデフォルトが“２”であるものとするが、デフォルトは１以上の整数であればよく、ユーザの指示に応じて変更可能である。
【００５２】
受付画面Ｐが表示された状態で、タッチパネル４にユーザが接触すると（Ｓ２１及びＳ２２の両方でＹｅｓ）、ユーザの接触位置に表示されているボタンが押下されたものとして、制御装置１０はユーザの指示を受け付ける（ステップＳ２５）。指示の受付の詳細については、図３等を参照して後述する。
【００５３】
スタートボタンＢ１が押下されると（ステップＳ２６）、画像形成制御部１２の制御の下、それまでに受け付けたユーザからの指示に応じた設定（部数、画像サイズ、カラー／モノクロ等）で、画像形成部３がコピーを行う（ステップＳ２７）。
【００５４】
なお、制御装置１０が、スタートボタンＢ１の押下をコピーの実行指示と認識するのは、スタートボタンＢ１が短押しされたときである。短押しとは、押下の時間が後述のステップＳ３１の長押しよりも短い時間であることを意味する。長押しと短押しとの押下時間の境界は、例えば１秒以下、０．７秒、０．５秒等に設定可能である。
【００５５】
スタートボタンＢ１が押下されずにキャンセルキー（図示せず）が押下されると（ステップＳ２６でＮｏ，ステップＳ２８でＹｅｓ）、コピーは実行されずに動作は終了となる。
【００５６】
次に、図３、図８〜図１０等を参照して、受付画面Ｐを介した指示受付の詳細について説明する。
【００５７】
図３に示すように、スタートボタンＢ１が長押しされると（ステップＳ３１でＹｅｓ）、表示制御部１１は、表示する層数を増加させる（ステップＳ３２）。例えば、図６に示す画面で、スタートボタンＢ１が長押しされると、図８に示すように、第２層Ｃ２の外側に、第３層Ｃ３が表示される。
【００５８】
これ以外にも、表示層の数のデフォルトが“１”であれば、最初にユーザがタッチパネル４に触れたときには、表示可能な層のうち、第１層Ｃ１のみが表示される。そして、スタートボタンＢ１が長押しされると、表示制御部１１の制御の下、第２層Ｃ２が表示され、再度長押しされると第３層Ｃ３が表示される。
【００５９】
なお、表示層数の最大値は、複合機１の有する機能、並びにオプション機器の種類及び数等によって、適宜設定される。
【００６０】
各層に表示されるボタンの種類は特に限定されないが、例えば、受付画面Ｐの内側、つまりスタートボタンＢ１に近い方の層内には、よく使われる機能についてのボタンや、大まかな設定を受け付けるボタンが配置されてもよい。例えば、図８の例では、第１層Ｃ１には、「モノクロ／カラー」、「倍率」、「片面／両面」、及び「部数」等、大まかな設定に対応するボタンが；第２層には、「用紙サイズ」、「ページ集約」、「鏡像」、「白黒反転」、「濃度調整」、「カラーバランス調整」、「画質選択」等、ページレイアウト、濃度、及び画質の設定に対応するボタンが；第３層には、「仕上げ」、「給紙トレイ選択」、「枠消し」、「センター移動」、「余白設定」等、オプション機器の設定や、印刷物の内容の編集等に対応するボタンが配置される。
【００６１】
また、各機能設定ボタンＢ２の配置は、初期設定値として、ユーザからの自由な指示内容に沿って、設定可能である。つまり、各層にどの機能設定ボタンＢ２を配置するか、またどのような順序で配置するかは、ユーザからの指示に応じて設定可能である。
【００６２】
また、機能設定ボタンＢ２の配列順序は特に限定されないが、関連する２つの機能に対応する機能設定ボタンＢ２は、互いに接近して配置されることが好ましい。特に、楕円の経方向において並んだ機能設定ボタンＢ２は、互いに関連する機能に対応することが好ましい。「関連する」機能として、例えば、併せて設定されることが多い２以上の機能が挙げられる。具体的には、「両面印刷」が設定されたときに「集約印刷」が併せて設定されることが多い場合には、図５に示すように、「片面／両面」ボタンの外側に「集約」ボタンが配置されることが好ましい。
【００６３】
図８に示す受付画面Ｐにおいて、機能設定ボタンＢ２のいずれかが押下されると（ステップＳ３３でＹｅｓ）、表示制御部１１の制御の下、押下された機能設定ボタンＢ２と同層に、詳細設定ボタンＢ３が表示される（ステップＳ３４）。詳細設定ボタンＢ３は、押下された機能設定ボタンＢ２に対応する機能についての選択肢を表示する。詳細設定ボタンＢ３が押下されると（ステップＳ３５でＹｅｓ）、表示制御部１１の制御の下、詳細設定ボタンＢ３の表示は消され、ステップＳ３２で消された機能設定ボタンＢ２が再び表示される（ステップＳ３６）。
【００６４】
具体的には、図８の受付画面Ｐで、第２層Ｃ２に含まれる「集約」ボタンが押下された場合、図９に示すように、第２層Ｃ２中の「集約」ボタン以外の機能設定ボタンＢ２の表示が消え、代わりに、「集約」機能に含まれる選択肢である「２ ｉｎ １」及び「４ ｉｎ １」にそれぞれ対応する詳細設定ボタンＢ３が、第２層Ｃ２に表示される。そして、「４ ｉｎ １」の詳細設定ボタンＢ３が押下されると、図１０に示すように、表示されるボタンは図８の状態に戻るとともに、「集約」の機能設定ボタンＢ２内の設定値の表示は、指定された設定「４ ｉｎ １」に変更される。ユーザは、機能設定ボタンＢ２の表示内容を見ることで、どのような機能が設定されているかを、容易に認識することができる。
【００６５】
こうして押下された詳細設定ボタンＢ３に応じて、コピーについての詳細な設定がなされる。つまり、画像形成制御部２１は、例えば図１０の受付画面Ｐにおいて、スタートボタンＢ１が押下されると、２頁の原稿を１枚の用紙の片面に集約して印刷するように、画像形成制御部１２を制御する。
【００６６】
複合機１では、タッチパネル４上でユーザが最初に触れた箇所にスタートボタンＢ１が表示される。つまり、ユーザが触りやすい箇所にスタートボタンＢ１が表示される。よって、ユーザにとっては操作が行いやすいという利点がある。
【００６７】
また、複合機１では、スタートボタンＢ１を囲む層中に、動作内容の設定指示を受け付ける設定ボタン（ボタンＢ２及びＢ３）が複数表示され、この層がスタートボタンＢ１から外に向かって重なるように配置される。特に、１つの機能についての選択肢（詳細設定ボタンＢ３）が、単一の層中に表示されるので、ユーザの指の移動範囲は、小さく抑えられる。特に、１つの受付画面Ｐに２以上の層が表示されると、多くの設定ボタンが表示されるので、ユーザは指を移動させて他の画面に移動することなく、様々な機能の設定を行うことができる。
【００６８】
また、個々の機能についての機能設定ボタンＢ２と、その機能設定ボタンＢ２に対応する機能の詳細設定ボタンＢ３とが、同一の層中に表示されるので、ユーザの指の移動範囲は、さらに小さく抑えられる。
【００６９】
また、複合機１では、スタートボタンＢ１と複数の機能設定ボタンＢ２及び詳細設定ボタンＢ３とが、同一の受付画面Ｐ中に表示される。よって、複合機１が多くの機能を有する場合にも、ユーザは、前もってスタートボタンＢ１の位置を把握しておく必要がなく、決定の指示を容易に入力することができる。
【００７０】
また、複合機１が多くの機能を有する場合にも、１つの受付画面Ｐ中に、複数の機能設定ボタンＢ２及び詳細設定ボタンＢ３が配置されるので、ユーザは、実行可能な機能を容易に把握することができる。
【００７１】
〔２〕第２実施形態
第２実施形態の複合機は、表示制御部１１が受付画面Ｐを第１実施形態とは異なる態様で表示させるようになっている以外は、第１実施形態の複合機１と同様の構成である。よって、以下、既に説明した部材等と同一の機能を有する部材等については、同一の符号を付して、その説明を省略することがある。
【００７２】
図１１に示すように、本実施形態では、表示制御部１１は、ステップＳ２３、Ｓ２４及びＳ２９に代えて、ステップＳ１１３、Ｓ１１４、Ｓ１１９を実行する。これ以外の処理（ステップＳ１１０〜１１２、Ｓ１１５〜Ｓ１１８）は、図２のステップＳ２０〜Ｓ２２、及びＳ２５〜Ｓ２８と同様である。
【００７３】
図１２に示すように、本実施形態では、表示制御部１１は、表示判定マスクＭによる判定を行う。すなわち、表示制御部１１は、接触位置Ｔを中心として、楕円形の受付画面Ｐを配置したと仮定して、受付画面Ｐのうち、表示パネル４１から外れる（表示できない）面積の大きさから、受付画面Ｐの形状を決定する。
【００７４】
通常、接触位置Ｔがタッチパネル４の中央付近であれば（ステップＳ１１３でＮｏ）、表示制御部１１は、接触位置Ｔを中心として、楕円形の受付画面Ｐを、表示パネル４１上に表示させる（ステップＳ１１４）。このように表示されても、受付画面Ｐの全ての機能設定ボタンＢ２及び詳細設定ボタンＢ３は表示される。
【００７５】
しかし、受付画面Ｐのうち表示パネル４１から外れる面積（受付画面Ｐのうち、図１２でハッチングに含まれる面積）が、表示判定マスクＭの２マス以上であれば（ステップＳ１１３でＹｅｓ）、図１３に示すように、表示制御部１１は、スタートボタンＢ１を接触位置Ｔに配置し、スタートボタンＢ１の周囲機能設定ボタンＢ２を層状に配置しつつ、受付画面Ｐ全体が表示されるように、受付画面Ｐの大きさや形状を調整する（ステップＳ１１９）。なお、ステップＳ１１３の判定基準であるマス数は、「２」に限定されず、変更可能である。
【００７６】
受付画面Ｐ全体を表示するには、つまり、表示されないマス数が「２」未満になるように、表示制御部１１は、受付画面Ｐの外縁を、一部が欠けた形状や、歪んだ楕円形状とすることができる（図１３）。
【００７７】
また、表示制御部１１は、通常の状態（ステップＳ１１４）であれば１つの層内に表示する機能設定ボタンＢ２を、ステップＳ１１９では、２つ以上の層に分けることができる。例えば、図１３では、表示制御部１１は、通常であれば第１層Ｃ１として表示される機能設定ボタンＢ２が、２つの層Ｃ１ａ及びＣ１ｂに分けて表示されている。
【００７８】
また、表示制御部１１は、接触位置Ｔに合わせて、機能設定ボタンＢ２の数を減らすことができる。例えば、ユーザから、表示層数を“３”にするようにとの指示を予め受けていれば、表示制御部１１は、図１３に示すように、第２層Ｃ２の機能設定ボタンＢ２の一部を、層Ｃ２ａとして層Ｃ１ｂの外側に表示し、第２層Ｃ２のその他の機能設定ボタンＢ２については表示を省略することで、表示層数を“３”とすることができる。
【００７９】
他方、表示する機能設定ボタンＢ２の数をユーザから予め指定されていれば、表示制御部１１は、表示層数を増やすことにより、指定された全ての機能設定ボタンＢ２を表示することができる。
【００８０】
本実施形態の複合機においても、スタートボタンＢ１の長押しによる層数の変更や、詳細設定ボタンＢ３の表示、設定の受付など、第１実施形態の図３で説明した処理が行われる。
【００８１】
〔３〕その他の実施形態
（3-1）スタートボタンＢ１及び受付画面Ｐの外縁の形態は、楕円形に限らず、円形であってもよいし、三角形、四角形（正方形、長方形、及び平行四辺形等）、五角形等の多角形 であってもよい。
【００８２】
機能設定ボタンＢ２及び詳細設定ボタンＢ３の形状も、変更可能である。
【００８３】
（3-2）第１及び第２実施形態では、複写実行時に、ユーザがタッチパネル４を介して入力を行う場合について説明したが、第１及び第２実施形態の表示形態及び指示受付処理は、プリント機能使用時、ファクシミリ機能使用時、スキャナ機能使用時の画面表示に適用することもできる。
【００８４】
（3-3）表示可能領域４２ａの形状及び大きさは、受付画面Ｐの形状及び大きさに応じて、適宜変更される。
【００８５】
（3-4）表示制御部１１は、スタートボタンＢ１が長押しされたときに、表示する機能設定ボタンＢ２の数又は表示層数を減少させてもよい。
【００８６】
また、表示制御部１１は、スタートボタンＢ１以外のソフトキー又はハードキーを介して、表示ボタン数や表示層数の変更指示を受け付けてもよい。つまり、ボタン数変更受付部及び層数変更受付部は、スタートボタンＢ１には限定されない。
【００８７】
（3-5）第２実施形態では、接触位置Ｔから表示パネル４１の縁までの距離が、受付画面Ｐ全体を表示できるものかどうかを判定するために、表示判定マスクＭを用いている。ただし、表示判定マスクＭを用いる以外にも、第１実施形態と同様に表示可能領域４２ａを用いるなど、接触位置Ｔから表示パネル４１の縁までの距離が所定値以上であるか否かを判定できれば、その判定方法は限定されない。
【００８８】
また、逆に、第１実施形態において、接触位置Ｔから表示パネル４１の縁までの距離が、表示判定マスクＭを利用して評価されてもよい。
【００８９】
なお、上述の距離Ｄ１及びＤ２は、受付画面Ｐの長径や短径よりも大きく設定されていてもよい。すなわち、ユーザの使用態様などに応じて、距離Ｄ１及びＤ２、並びにステップＳ１１３の判断基準となる上述の表示判定マスクのマス数を変更することで、受付画面の表示位置を調整することができる。
【００９０】
（3-6）第１及び第２実施形態における表示形態及び指示受付処理は、複合機だけでなく、コピー機、プリンタ、ファクシミリ装置等、種々の画像形成装置に適用可能である。
【符号の説明】
【００９１】
１    複合機
２    画像読取装置
３    画像形成部
４    タッチパネル
４１  表示パネル（表示部）
４２  タッチセンサ（検出部）
１０  制御装置
１１  表示制御部
１２  画像形成制御部
【図１】
2010266513.tif 000003
【図２】
2010266513.tif 000004
【図３】
2010266513.tif 000005
【図４】
2010266513.tif 000006
【図５】
2010266513.tif 000007
【図６】
2010266513.tif 000008
【図７】
2010266513.tif 000009
【図８】
2010266513.tif 000010
【図９】
2010266513.tif 000011
【図１０】
2010266513.tif 000012
【図１１】
2010266513.tif 000013
【図１２】
2010266513.tif 000014
【図１３】
2010266513.tif 000015